(57)【要約】【課題】波高の大きな波が襲来した場合でも、襲来した波が扉体を越えて公共空間に流れ込むことを防止する。【解決手段】開口部１１ａに設置され、開口部１１ａから水が流入する際に開口部１１ａを遮断すべく、高さ方向に分割した複数の扉体ブロック２ａ〜２ｃを、高さ方向の平面内で回転自在に連結して扉体２を構成した浮体連結式フラップゲート１である。高さ方向上下に配置された扉体ブロック２ａと２ｂ，２ｂと２ｃ間に、当該両扉体ブロックに跨り、高さ方向上側の端面が、高さ方向上側に位置する扉体ブロック２ａ又は２ｂの上端よりも下方の適宜の位置に至る長さの越流防止板４ａ，４ｂを設置した。【効果】越流防止板が起立している扉体ブロックに沿って起立し、倒伏している扉体ブロックの上面側よりも高くなり、襲来した波高の大きな波を起立した越流防止板で阻止するので、越流が公共空間に流れ込むことを防止できる。【選択図】図３
2012117263.tif 000002
【特許請求の範囲】
【請求項１】
開口部に設置され、開口部から水が流入する際に前記開口部を遮断すべく、高さ方向に分割した複数の扉体ブロックを、高さ方向の平面内で回転自在に連結して扉体を構成した浮体連結式フラップゲートの、高さ方向上下に配置された扉体ブロック間に、当該両扉体ブロックに跨り、高さ方向上側の端面が、高さ方向上側に位置する扉体ブロックの上端よりも下方の適宜の位置に至る長さの越流防止板を設置したことを特徴とする浮体連結式フラップゲートの扉体構造。
【請求項２】
前記越流防止板は、ゴム製であることを特徴とする請求項１に記載の浮体連結式フラップゲートの扉体構造。
【請求項３】
前記越流防止板は、幅方向に隣接する扉体ブロック間の隙間を塞ぐようになされていることを特徴とする請求項１又は２に記載の浮体連結式フラップゲートの扉体構造。
【請求項４】
前記越流防止板は、表面に溝又は穴部を形成するか、内部に中空部を形成したものであることを特徴とする請求項１〜３の何れかに記載の浮体連結式フラップゲートの扉体構造。
【請求項５】
前記越流防止板は、扉体ブロックに取外しが可能な態様で設置されていることを特徴とする請求項１〜４の何れかに記載の浮体連結式フラップゲートの扉体構造。
【発明の詳細な説明】
【技術分野】
【０００１】
本発明は、例えば防波壁の開口部に設置され、増水時、増水した水が公共空間に流れ込まないよう、扉体を起立させて前記開口部を遮断する浮体連結式フラップゲートに関するものである。
【背景技術】
【０００２】
増水時に、増水した水が公共空間に流れ込まないように、防波壁の開口部に、開口部を遮断する浮体式フラップゲートが設置される場合がある（例えば特許文献１、２）。
【０００３】
この種の浮体式フラップゲートは、扉体に単数個の大きな浮体を有し、防波壁の開口部から流れ込む水の水圧と扉体自体の浮力を利用して扉体を起立させ、開口部を遮断するものである。
【０００４】
しかしながら、従来の浮体式フラップゲートの扉体は、高さ方向に一体に形成されており、水位が一定の高さに到達した後に一気に扉体全体が起立するので、扉体の動揺が大きく、危険性が高いという問題があった。
【０００５】
また、水が開口部に流れ込み始める流入初期には、扉体が水の流れ込みに追従して起立せず、水の流れ込みより遅れて起立するので、起立するまでの間、開口部から水が侵入するという問題もある。
【０００６】
さらに、扉体の起立時に流体力の大きい水（急流または激流）が流れ込んだ場合、起立完了時に扉体に大きな衝撃力が発生して扉体に損傷を与えるという問題もある。
【０００７】
そこで、出願人は、前記の問題を解決するために、扉体を高さ方向に複数個に分割し、これら分割した扉体ブロックを連結した浮体連結式フラップゲートを提案した。
【０００８】
この浮体連結式フラップゲート１は、流入する水の水位に応じて、図９（ａ）〜（ｄ）に示すように、高さ方向に分割した扉体ブロック２ａ〜２ｃが基端側から順次起立するので、先端側の扉体ブロック２ａ、又は先端側と中間の扉体ブロック２ａ，２ｂが倒伏した状態では、起立した扉体２の高さと水面との差が小さい。
【０００９】
従って、全ての扉体ブロック２ａ〜２ｃが起立するまでに波高の大きな波が襲来した場合には、図１０に示すように、襲来した波が扉体２を越え、この扉体２を越えた越流が公共空間に流れ込むことになる。
【先行技術文献】
【特許文献】
【００１０】
【特許文献１】特開２００１−２１４４２５号公報
【特許文献２】特開２００３−２５３９１２号公報
【発明の概要】
【発明が解決しようとする課題】
【００１１】
本発明が解決しようとする問題点は、高さ方向に複数個に分割した扉体ブロックを連結した浮体連結式フラップゲートでは、全ての扉体ブロックが起立するまでに波高の大きな波が襲来した場合には、襲来した波が扉体を越え、公共空間に流れ込むという点である。
【課題を解決するための手段】
【００１２】
本発明の浮体連結式フラップゲートは、
全ての扉体ブロックが起立するまでに波高の大きな波が襲来した場合でも、襲来した波が扉体を越えて公共空間に流れ込むことを防止するために、
開口部に設置され、開口部から水が流入する際に前記開口部を遮断すべく、高さ方向に分割した複数の扉体ブロックを、高さ方向の平面内で回転自在に連結して扉体を構成した浮体連結式フラップゲートの、高さ方向上下に配置された扉体ブロック間に、当該両扉体ブロックに跨り、高さ方向上側の端面が、高さ方向上側に位置する扉体ブロックの上端よりも下方の適宜の位置に至る長さの越流防止板を設置したことを最も主要な特徴としている。
【００１３】
上記の本発明は、少なくとも先端側の扉体ブロックが倒伏し、かつ少なくとも基端側の扉体ブロックが起立した状態では、起立している扉体ブロックと倒伏している扉体ブロックの間に設置された越流防止板が、起立している扉体ブロックに沿って起立する。従って、この起立した越流防止板の先端位置は倒伏している扉体ブロックの上面側よりも高い位置となって、波高の大きな波が襲来した場合にも、この襲来した波を起立した越流防止板で阻止し、越流が公共空間に流れ込むことを防止する。
【発明の効果】
【００１４】
本発明では、越流防止板が起立している扉体ブロックに沿って起立し、倒伏している扉体ブロックの上面側よりも高くなるので、波高の大きな波が襲来した場合にも、この襲来した波を起立した越流防止板で阻止することができる。従って、越流が公共空間に流れ込むことを防止できる。
【図面の簡単な説明】
【００１５】
【図１】本発明の浮体連結式フラップゲートの一例を側面から見た図で、（ａ）は倒伏状態の図、（ｂ）は基端側と中間の扉体ブロックが起立した状態を示した図である。
【図２】本発明の浮体連結式フラップゲートの一例を上方から見た図である。
【図３】本発明の浮体連結式フラップゲートの扉体ブロックが流入する水の水位に応じて基端側から順次起立する状態を示した図で、（ａ）は倒伏時、（ｂ）は基端側の扉体ブロックのみが起立した状態、（ｃ）は基端側と中間の扉体ブロックが起立した状態、（ｄ）は全ての扉体ブロックが起立した状態を示した図である。
【図４】越流防止板を剛体とした場合の、扉体ブロックと越流防止板の間に漂流物等を挟んだ状態を示す倒伏時の図である。
【図５】本発明の浮体連結式フラップゲートに設置した越流防止板の作用を説明する図で、（ａ）は、扉体ブロックと越流防止板の間に漂流物等を挟んだ状態を示す倒伏時の図、（ｂ）は起立時における（ａ）と同様の図、（ｃ）は先端側の扉体ブロックが先行して起立する状態を示した図である。
【図６】（ａ）〜（ｆ）はゴム製の越流防止板の補強例を示した図で、それぞれ紙面上側が平面図、紙面下側が正面図である。
【図７】（ａ）〜（ｃ）はゴム製の越流防止板の他の補強例を示した図で、それぞれ紙面上側が平面図、紙面下側が正面図である。
【図８】（ａ）（ｂ）は本発明の浮体連結式フラップゲートの他の例を上方から見た図である。
【図９】従来の浮体連結式フラップゲートの扉体ブロックが、流入する水の水位に応じて基端側から順次起立する状態を示した図で、（ａ）は倒伏時、（ｂ）は基端側の扉体ブロックのみが起立した状態、（ｃ）は基端側と中間の扉体ブロックが起立した状態、（ｄ）は全ての扉体ブロックが起立した状態を示した図である。
【図１０】浮体連結式フラップゲートで越波が発生する状態を説明する図である。
【発明を実施するための最良の形態】
【００１６】
本発明は、襲来した波高の大きな波が扉体を越えて公共空間に流れ込むことを防止するという目的を、高さ方向上下に配置された扉体ブロック間に、当該両扉体ブロックに跨る越流防止板を設置することで実現した。
【実施例】
【００１７】
以下、本発明を実施するための形態を、図１〜図８を用いて詳細に説明する。
図１，図２，図８は本発明の浮体連結式フラップゲートの説明図、図３〜図５は本発明の浮体連結式フラップゲートの作用を説明する図、図６，図７はゴム製の越流防止板の補強例を説明する図である。
【００１８】
１は例えば道路面より低い位置に構築される防波壁１１の、開口部１１ａの路面ｓに設置される本発明の浮体連結式フラップゲートである。この浮体連結式フラップゲート１は、海洋（河川）１２から公共空間（道路面）１３に水ｗが流入しようとする際、流入する水ｗの水圧と扉体２の浮力を利用して、基端側を支点として扉体２を起立させて開口部１１ａを遮断するものである。
【００１９】
この浮体連結式フラップゲート１を構成する扉体２は、高さ方向に、例えば鋼製の中空構造である３個の扉体ブロック２ａ〜２ｃに分割した構成となされている。以下、これら３個の扉体ブロック２ａ〜２ｃを、起立状態にある場合の上方から、先端側の扉体ブロック２ａ、中間の扉体ブロック２ｂ、基端側の扉体ブロック２ｃと言う。
【００２０】
そして、これら扉体ブロック２ａ〜２ｃ間、及び、基端側の扉体ブロック２ｃと路面ｓを、高さ方向の平面内で、海洋（河川）１２から流れ込もうとする水ｗの方向に向けて、例えば所定角度の回転が自在な回転部３ａ〜３ｃで連結している。
【００２１】
本発明の浮体連結式フラップゲート１は、高さ方向上下に配置された扉体ブロック２ａと２ｂ，２ｂと２ｃ間に、例えば天然ゴム製の越流防止板４ａ，４ｂを、ボルトｂにより取り外しが可能な態様で設置したものである。
【００２２】
この越流防止板４ａ，４ｂは、高さ方向上下に配置された扉体ブロック２ａと２ｂ，２ｂと２ｃに跨って配置され、その高さ方向上側の端面が、高さ方向上側に位置する扉体ブロック２ａ又は２ｂの例えば高さ方向の中央部に至る長さを有している。
【００２３】
上記構成の本発明の浮体連結式フラップゲート１では、水位の上昇に伴い、図３（ａ）に示す倒伏状態から、図３（ｂ）の基端側の扉体ブロック２ｃのみが起立した状態、図３（ｃ）の基端側と中間の扉体ブロック２ｂ，２ｃが起立した状態を経て、図３（ｄ）のように全ての扉体ブロック２ａ〜２ｃが起立する。
【００２４】
そして、図３（ｂ）の基端側の扉体ブロック２ｃのみが起立した状態では、扉体ブロック２ｂと２ｃを跨ぐように設置した越流防止板４ｂが、倒伏状態の扉体ブロック２ａ，２ｂよりも高く突き出て、扉体ブロック２ａ，２ｂを越えてきた越波が公共空間１３に流れ込むのを阻止する。
【００２５】
また、図３（ｃ）の基端側と中間の扉体ブロック２ｂ，２ｃが起立した状態では、扉体ブロック２ａと２ｂを跨ぐように設置した越流防止板４ａが、倒伏状態の扉体ブロック２ａよりも高く突き出て、扉体ブロック２ａを越えてきた越波の公共空間１３への流れ込みを阻止する。
【００２６】
ところで、越流防止板４ａ，４ｂを金属などの剛体で製作した場合、例えば図４に示すように、扉体ブロック２ｂと越流防止板４ｂの間に漂流物等５を挟み込んだ際に、扉体２の起立（倒伏）動作不良、越流防止板４ｂの変形や破損、扉体ブロック２ｂの表面の変形、回転部３ｂの破損などが発生する。また、先端側の扉体ブロック２ａが先行して起立することもできなくなる。
【００２７】
これに対して、越流防止板４ａ，４ｂをゴムのような可撓性を有するもので製作した場合は、例えば図５に示すように、扉体ブロック２ｂと越流防止板４ｂの間に漂流物等５を挟み込んだ際にも、越流防止板４ｂが図５（ａ）（ｂ）に示すように変形して、扉体ブロック２ｂや越流防止板４ｂの変形や破損を防止できる。また、図５（ｃ）に示すように、先端側の扉体ブロック２ａが先行して起立することもできる。
【００２８】
また、越流防止板４ａ，４ｂは扉体２の浮力を失わない程度の重量であることは言うまでもないが、越波を受け止めた際に容易に変形しないようにすることも必要不可欠である。
【００２９】
そのため、例えばゴム製の越流防止板４ａ，４ｂの内部に、繊維材料或いは高分子材料を補強材として挿入したり（図６（ａ）〜（ｆ））、表面は天然ゴム（NR）のように耐候性、耐摩耗性、耐水性に優れるゴムとし、内部は機械的性質や耐屈曲亀裂性に優れたゴムとすることが望ましい。
【００３０】
例えば、繊維材料を挿入する場合は、図６（ａ）に示すように、ゴム製の越流防止板４ａ，４ｂの内部に、扉体の高さ方向に沿って繊維６を挿入したり、図６（ｂ）に示すように、繊維６を格子状に挿入すればよい。また、図示省略したが、繊維を布状に織ったもの挿入しても良い。
【００３１】
一方、高分子材料を挿入する場合は、図６（ｃ）に示すように、ゴム製の越流防止板４ａ，４ｂに高分子材料の板７ａを貼り合わせたり、図６（ｄ）に示すように、ゴム製の越流防止板４ａ，４ｂの内部に、高分子材料の板７ａを挿入すれば良い。また、図６（ｅ）に示すように、ゴム製の越流防止板４ａ，４ｂの内部に、扉体の高さ方向に沿って短冊状の高分子材料の板７ｂを複数枚挿入したり、図６（ｆ）に示すように、短冊状の高分子材料の板７ｂを格子状に配置して挿入すれば良い。
【００３２】
また、図７（ａ）に示すように、ゴム製の越流防止板４ａ，４ｂの表面に、扉体の高さ方向に沿う溝８を設けたり、図７（ｂ）に示すように、ゴム製の越流防止板４ａ，４ｂの表面に、多数の角穴９を設けたり、図７（ｃ）に示すように、ゴム製の越流防止板４ａ，４ｂの内部に、扉体の高さ方向に沿う中空部１０を設けても良い。
【００３３】
なお、補強材として使用する繊維としては、例えばナイロン（ナイロン６、ナイロン６６）、ポリエステル、ビニロン、アラミド、スチール、カーボン、ガラスなどがある。
【００３４】
また、補強材として使用する高分子材料としては、例えば耐候性、耐衝撃性に優れる塩化ビニル（PVC）、低密度ポリエチレン（LDPE）、高密度ポリエチレン（HDPE）、直鎖状低密度ポリエチレン（LLDPE）、超高分子量ポリエチレン（UHMW-PE）、耐衝撃性ポリスチレン（HIPS）、ABS樹脂（ABS）、AES樹脂（AES）、AAS樹脂（AAS）、ACS樹脂（ACS）、フッ素樹脂（PTFE、PVDF、PETFE、FEP）、エチレン・酢酸ビニル共重合樹脂（EVA）、エチレン・ビニルアルコール共重合樹脂（EVOH）、ポリアセタール（POM）、ポリカーボネート（PC）、変成ポリフェニレンエーテル（PPE）、ポリエチレンテレフタレート（PET）、ポリブチレンテレフタレート（PBT）、ポリエーテルエーテルケトン（PEEK）、ポリアミド（PA）、ポリイミド（PI）、ポリエーテルイミド（PEI）、ポリアミドイミド（PAI）、ポリスルフォン（PSF）、ポリエーテルスルフォン（PES）、エポキシ樹脂（EP）、ポリウレタン（PUR）、ジアリルフタレート樹脂（DAP）、不飽和ポリエステル（UP）などがある。また、前述の高分子材料にガラス繊維、炭素繊維、アラミド繊維、いずれかの短繊維または長繊維、織物を挿入して強化したガラス繊維強化プラスチック（GFRP）、炭素繊維強化プラスチック（CFRP）、アラミド繊維強化プラスチック（AFRP）などを使用しても良い。
【００３５】
また、耐摩耗性や耐老化性、耐水性、耐候性に優れたゴムとしては、天然ゴムの他に、合成天然ゴム（IR）、スチレンゴム（SBR）、ブタジエンゴム（BR）、ブチルゴム（IIR）、ニトリルゴム（NBR）、エチレン・プロピレンゴム（EPDM）、クロロプレンゴム（CR）、クロロスルホン化ポリエチレンゴム（CSM）、フッ素ゴム（FPM）、エチレン・酢酸ビニルゴム（EVA）などがある。
【００３６】
一方、機械的性質や耐屈曲亀裂性に優れたゴムとしては、例えば天然ゴム、合成天然ゴム、スチレンゴム、ブチルゴム、ニトリルゴム、クロロプレンゴム、クロロスルホン化ポリエチレンゴム、フッ素ゴム、エチレン・酢酸ビニルゴム、ウレタンゴム（U）などがある。
【００３７】
本発明は、前記の例に限るものではなく、各請求項に記載の技術的思想の範疇であれば、適宜実施の形態を変更しても良いことは言うまでもない。
【００３８】
例えば、上記の例では越流防止板４ａ，４ｂは、両扉体ブロック２ａと２ｂ又は２ｂと２ｃに跨って配置され、その高さ方向上側の端面が、高さ方向上側に位置する扉体ブロック２ａ又は２ｂの例えば高さ方向の中央部に至る長さとしたが、高さ方向上側に位置する扉体ブロック２ａ又は２ｂの高さ方向の上端よりも下方の位置であれば高さ方向の中央部でなくても良い。
【００３９】
また、越流防止板４ａ，４ｂは、図２に示した例では、幅方向に隣接する扉体ブロック２ａと２ａ，２ｂと２ｂ，２ｃと２ｃ間の隙間から水が漏れないように、幅方向に隣接する扉体ブロック２ａと２ａ，２ｂと２ｂ，２ｃと２ｃ間の隙間を塞ぐものを示している。しかしながら、図８（ａ）（ｂ）のように、幅方向に隣接する扉体ブロック２ａと２ａ，２ｂと２ｂ，２ｃと２ｃ間の隙間を塞がないものでも良い。
【００４０】
また、高さ方向の上下に配置する越流防止板４ａと４ｂは、図８（ｂ）に示すように、越流防止板４ａと４ｂの間に間隔を設けるような長さとしても良い。
【００４１】
また、上記の例では、回転部３ａ，３ｂや水密部材のメンテナンス性を確保するために、ボルトｂを用いて越流防止板４ａ，４ｂを扉体ブロック２ａ〜２ｃに取り外しが可能な態様で設置しているが、取り外しができないものでも良い。
【００４２】
また、倒伏時に、扉体２の上面を人又は車両が通行することを考慮し、越流防止板４ａ，４ｂの表面に滑り止めの機能を付加しても良い。
【符号の説明】
【００４３】
１    浮体連結式フラップゲート
２    扉体
２ａ〜２ｃ    扉体ブロック
３ａ〜３ｃ    回転部
４ａ，４ｂ    越流防止板
１１    防波壁
１１ａ    開口部
１２    海洋（河川）
１３    公共空間（道路面）
【図１】
2012117263.tif 000003
【図２】
2012117263.tif 000004
【図３】
2012117263.tif 000005
【図４】
2012117263.tif 000006
【図５】
2012117263.tif 000007
【図６】
2012117263.tif 000008
【図７】
2012117263.tif 000009
【図８】
2012117263.tif 000010
【図９】
2012117263.tif 000011
【図１０】
2012117263.tif 000012